(57)【要約】【課題】  本発明は、企業のみならず消費者も情報を安価に発信することができ、しかも全体として統一したデザインを保持することが可能な広告表示物の提供を課題とする。【解決手段】  本発明は、電車、バス、飛行機、自動車あるいは船舶などの各種車両または各種建造物の外面に設けられる広告表示物である。写真、文字、あるいは図柄などからなる縮小広告画像１，２が多数配置され、それら各縮小広告画像１，２が互いに色彩および配置位置が調整されることにより一つの全体広告画像を表示した広告表示物Ａが形成される。このように広告が細分化されることにより、企業のみならず消費者も情報を安価に発信することができる。しかも各広告画像が一つの全体広告画像を表示するように互い色彩や配置位置が調整されているため、空間の美観を損なうことなく、広告全体として統一したデザインを保持することが可能となる。【選択図】      図２
2006184607.tif 000002
【特許請求の範囲】
【請求項１】
電車、バス、飛行機、自動車あるいは船舶などの各種車両または各種建造物の外面に設けられる広告表示物であって、
写真、文字、あるいは図柄などからなる縮小広告画像が多数配置され、それら各縮小広告画像が互いに色彩および配置位置が調整されることにより一つの全体広告画像を表示するものとなされていることを特徴とする広告表示物。
【請求項２】
前記縮小広告画像は、広告主のメッセージが掲載されている請求項１に記載の広告表示物。
【請求項３】
請求項１に記載の広告表示物が設けられたことを特徴とする車両。
【請求項４】
請求項１に記載の広告表示物が設けられたことを特徴とする建造物。
【請求項５】
各消費者の情報端末装置から送信されてきた縮小広告画像を受信する縮小広告画像受信手段と、該縮小広告画像受信手段により受信された縮小広告画像を記憶する縮小広告画像記憶手段と、該縮小広告画像記憶手段に記憶されている各消費者の縮小広告画像に基づいて一つの全体広告画像を作成する全体広告画像作成手段とを備えてなることを特徴とする広告画像作成支援システム。
【発明の詳細な説明】
【技術分野】
【０００１】
本発明は、電車、バス、飛行機、自動車あるいは船舶などの各種車両または各種建造物の外面に設けられる広告表示物に関するものである。
【背景技術】
【０００２】
一般に、電車、バス、飛行機、自動車あるいは船舶などの各種車両、または地下街や駅のコンコースなどの各種建造物の外面に様々な広告が表示されることが多い（例えば特許文献１、２参照）。そして、これらの広告は、通常、商品やサービスの宣伝であったり、企業自体のＰＲであったり、あるいは芸能人のＣＤ販売やコンサートのＰＲであったりと、そのほとんどが一企業から消費者に一方的に情報を発信するものであり、その広告料も非常に高額であるという難点があった。
【０００３】
そこで、この難点を解消するために、企業のみならず消費者も情報を発信できるように、広告を所定の大きさまで細分化し、その細分化された領域において各消費者が所望の広告を掲載することが考えられる。
【特許文献１】特開２００２−３６６０７１号公報
【特許文献２】特開２００４−１０９７２９号公報
【発明の開示】
【発明が解決しようとする課題】
【０００４】
しかしながら、このように広告を細分化して各人が広告を掲載すると、広告全体として統一したデザイン性がなくなり、空間の美観を損なうという問題があった。
【０００５】
本発明は、上述の問題に鑑みてなされたものであって、企業のみならず消費者も情報を安価に発信することができ、しかも全体として統一したデザインを保持することが可能な広告表示物の提供を課題とする。
【課題を解決するための手段】
【０００６】
本発明は、上記課題を解決するために、電車、バス、飛行機、自動車あるいは船舶などの各種車両または各種建造物の外面に設けられる広告表示物であって、
写真、文字、あるいは図柄などからなる縮小広告画像が多数配置され、それら各縮小広告画像が互いに色彩および配置位置が調整されることにより一つの全体広告画像を表示するものとなされていることを特徴とする。
【０００７】
これによれば、広告が細分化されることにより、企業のみならず消費者も情報を安価に発信することができる。しかも各広告画像が一つの全体広告画像を表示するように互いに色彩や配置位置が調整されているため、空間の美観を損なうことなく、広告全体として統一したデザインを保持することが可能となる。なお、色彩の調整には、色の明度、彩度、および色相の調整を含むものである。また、前記縮小広告画像は、広告主のメッセージが掲載されているのが好ましい。
【０００８】
また、本発明に係る車両または建造物は、前記広告表示物が設けられたことを特徴とする。
【０００９】
また、本発明に係る広告画像作成支援システムは、各消費者の情報端末装置から送信されてきた縮小広告画像を受信する縮小広告画像受信手段と、該縮小広告画像受信手段により受信された縮小広告画像を記憶する縮小広告画像記憶手段と、該縮小広告画像記憶手段に記憶されている各消費者の縮小広告画像に基づいて一つの全体広告画像を作成する全体広告画像作成手段とを備えてなることを特徴とする。
【発明の効果】
【００１０】
本発明によれば、広告が細分化されることにより、企業のみならず消費者も情報を安価に発信することができる。しかも各広告画像が一つの全体広告画像を表示するように互いに色彩や配置位置が調整されているため、空間の美観を損なうことなく、広告全体として統一したデザインを保持することが可能となる。
【００１１】
このため、従来の一企業から消費者への一方的な情報発信だけでなく、自己をアピールしたいという消費者の欲求に答えることができ、また多数の者が広告に参加することで一体感が生じて新しい交流が活発化することにつながる。
【００１２】
また、消費者が自ら広告に参加するので、不特定多数と特定の者の両方に広告できるとともに、広告料も今まで対局にあった企業と消費者が案分することで軽い負担で済む。
【００１３】
さらに、消費者同士のネットワーク化や企業のマーケティングが行い易くなる上に、消費者が積極的に参加し得るので、広告効果が向上する。
【００１４】
さらにまた、例えば今まで利用されなかった観光地の看板やローカル線の広告に本広告表示物を適用すれば、それらの広告を掲載した者（スポンサー）やその知人などが当該地方に足を運ぶことになるため地域の活性化にもつながる。
【発明を実施するための最良の形態】
【００１５】
［実施形態１］
次に本発明の一実施形態について図面を参照しつつ説明する。
【００１６】
図１は本実施形態に係る広告表示物（Ａ）が設けられたバス車両（Ｔ）の側面図であり、図２は該広告表示物（Ａ）の拡大図である。なお、本実施形態では、バス車両（Ｔ）は結婚式場で利用される送迎バスを用いている。
【００１７】
この広告表示物（Ａ）は、写真からなる縮小広告画像（１）（２）が多数配置され、それら各縮小広告画像（１）（２）が互いに色彩（明度、彩度、および色相）と形状が調整されることにより一つの全体広告画像を表示するものとなされている。
【００１８】
具体的には、縮小広告画像（１）（２）は、それぞれ当該結婚式場で結婚式を挙げた各カップルを撮影した写真画像である。この縮小広告画像（１）（２）は、カップルの写真画像のみであってもよいし、あるい図３に示すように写真画像と併せて「私たち結婚しました」というようなメッセージなどが表示されるものであってもよい。
【００１９】
各縮小広告画像（１）は、いずれもカップルの人物写真像の背景に同一の色彩（例えば赤色）が付されるともに、全体としてハートの輪郭形状となるように配置されている。また、各縮小広告画像（２）は、いずれもカップルの人物写真像の背景に同一の色彩（例えば緑色）が付されるともに、全体として葉の輪郭形状となるように配置されている。
【００２０】
而して、このように各縮小広告画像（１）（２）が所定の色彩と配置位置が調整されることによって、一つの苺をイメージする全体広告画像をバス車両（Ｔ）の外面に表示することができる。
【００２１】
［実施形態２］
次に他の実施形態について図面を参照しつつ説明する。
【００２２】
図４は、本実施形態に係る広告表示物（Ｂ）の拡大図である。なお、広告表示物（Ｂ）は、電車、バス、飛行機、自動車あるいは船舶などの各種車両、または地下街や駅のコンコースなどの各種建造物の外面に設けられるものである。
【００２３】
この広告表示物（Ｂ）は、写真からなる縮小広告画像（３）（４）（５）（６）が多数配置され、それら各縮小広告画像（３）（４）（５）（６）が互いに色彩（明度、彩度、および色相）と形状が調整されることにより一つの全体広告画像を表示するものとなされている。
【００２４】
具体的には、縮小広告画像（３）（４）（５）（６）は、いずれも様々な人（消費者兼スポンサー）を撮影した写真画像である。各縮小広告画像（３）は、写真画像全体が同一の色彩（例えば青色）が付されるとともに、全体として円の輪郭形状となるように配置されている。また、各縮小広告画像（４）は、写真画像全体が同一の色彩（例えば灰色）が付されるとともに、前記縮小広告画像（３）の内側において所定位置に配置されている。また、各縮小広告画像（５）は、写真画像全体が同一の色彩（例えば赤色）が付されるとともに、前記縮小広告画像（３）の内側において所定位置に配置されている。また、各縮小広告画像（６）は、写真画像全体が同一の色彩（例えば黄色）が付されるとともに、全体の下中心部の所定位置に配置位置が調整されている。
【００２５】
而して、このように各縮小広告画像（１）（２）（３）（４）を所定の色彩と配置位置を調整することによって、一つのアニメキャラクターをイメージする全体広告画像を車両や建造物の外面に表示することができる。
【００２６】
［実施形態３］
次にさらに他の実施形態について図面を参照しつつ説明する。
【００２７】
図５は、本実施形態に係る広告表示物（Ｃ）の拡大図である。なお、広告表示物（Ｃ）は、電車、バス、飛行機、自動車あるいは船舶などの各種車両、または地下街や駅のコンコースなどの各種建造物の外面に設けられるものである。
【００２８】
この広告表示物（Ｃ）は、写真からなる縮小広告画像（７）（８）が多数配置され、それら各縮小広告画像（７）（８）が互いに色彩（明度、彩度、および色相）と形状が調整されることにより一つの全体広告画像を表示するものとなされている。
【００２９】
具体的には、縮小広告画像（７）（８）は、いずれも様々な人を撮影した写真画像である。各縮小広告画像（７）は、写真画像全体が同一の色彩（例えば灰色）が付されるとともに、全体として略正方形の輪郭形状となるように配置されている。また、各縮小広告画像（８）は、写真画像全体が同一の色彩（例えば黄色）が付されるとともに、全体として星型の輪郭形状となるように配置されている。
【００３０】
而して、このように各縮小広告画像（７）（８）を所定の色彩と形状を調整することによって、一つの星形状をイメージする全体広告画像（Ｃ）を表示することができる。
【００３１】
このように各実施形態において、広告が細分化されることにより、企業のみならず消費者も情報を安価に発信することができる。しかも各広告画像が一つの全体広告画像を表示するように互いに色彩や配置位置が調整されているため、空間の美観を損なうことなく、広告全体として統一したデザインを保持することが可能となる。
【００３２】
このため、図６に示すように、従来の一企業から消費者への一方的な情報発信だけでなく、自己をアピールしたいという消費者の欲求に答えることができ、また多数の者が広告に参加することで一体感が生じて新しい交流が活発化することにつながる。
【００３３】
また、消費者が自ら広告に参加するので、不特定多数と特定の者の両方に広告できるとともに、広告料も今まで対局にあった企業と消費者が案分することで軽い負担で済む。
【００３４】
さらに、消費者同士のネットワーク化や企業のマーケティングが行い易くなる上に、消費者が積極的に参加し得るので、広告効果が向上する。
【００３５】
さらにまた、例えば今まで利用されなかった観光地の看板やローカル線の広告に本広告表示物を適用すれば、それらの広告を掲載した者（スポンサー）やその知人などが当該地方に足を運ぶことになるため地域の活性化にもつながる。
【００３６】
なお、本実施形態では、縮小広告画像として写真画像を用いたが、これに限定されるものではなく、文字や図柄などであってもよいし、それらを組み合わせるものであってもよい。
【００３７】
また、全体広告画像の作成にあたっては、インターネット上にサイト（サーバ）を構築して、そのサイトに消費者が情報端末装置（パソコン等）から広告を申込み、当該サイトで広告の雛形を作成する広告画像作成支援システムが考えられる。
【００３８】
具体的には、この広告画像作成支援システムは、各消費者の情報端末装置から送信されてきた縮小広告画像を受信する縮小広告画像受信部（１１）と、該縮小広告画像受信部（１１）により受信された縮小広告画像を記憶する縮小広告画像記憶部（１２）と、該縮小広告画像記憶部（１２）に記憶されている各消費者の縮小広告画像に基づいて一つの全体広告画像を作成する全体広告画像作成部（１３）とを備え、これらの機能がサーバ内で構築されている。なお、（１０）は、サーバ内の各部と統括的に制御する制御部である。広告料の課金システムについては、ネットにおけるカード課金や銀行振込など既存のものを適用するのがよい。
【００３９】
また、全体広告画像の下図を車両や建造物などにあらかじめ作成しておいて、消費者（顧客）が現場でプリクラ（商標）等の撮影装置により撮影し、その撮影した写真（縮小広告画像）を全体広告画像の下図の所定位置に貼り付けていくものであってもよい。
【産業上の利用可能性】
【００４０】
本発明は、電車、バス、飛行機、自動車あるいは船舶などの各種車両、または地下街や駅のコンコースなどの各種建造物に用いられる広告に適用可能である。
【図面の簡単な説明】
【００４１】
【図１】第１の実施形態に係る広告表示物が設けられたバス車両の側面図である。
【図２】図１の広告表示物の拡大図である。
【図３】図２の広告表示物に用いられる縮小広告画像の一例を示す拡大図である。
【図４】第２の実施形態に係る広告表示物の拡大図である。
【図５】第３の実施形態に係る広告表示物の拡大図である。
【図６】本広告表示物による広告効果を示す概念図である。
【図７】本広告表示物が適用される広告画像作成支援システムの構成概略図である。
【符号の説明】
【００４２】
Ａ・・・全体広告画像
Ｔ・・・バス車両
１、２・・・縮小広告画像
【図１】
2006184607.tif 000003
【図２】
2006184607.tif 000004
【図３】
2006184607.tif 000005
【図４】
2006184607.tif 000006
【図５】
2006184607.tif 000007
【図６】
2006184607.tif 000008
【図７】
2006184607.tif 000009